(57)【要約】【課題】利用者だけがロック又はロック解除することができる生体認証装置を得る。【解決手段】生体センサー（３）から予め入力された生体情報を登録するための記憶部（５）と、当該記憶部に記憶された生体情報と当該生体センサーから再入力された再入力生体情報とを照合して一致したときに解錠信号を出力する生体認証部（７）と、を含み、当該記憶部が、１人分のみの生体情報を登録可能に構成してあり、当該生体認証部が、当該生体センサーから入力された生体情報を当該記憶部に登録後又は登録と同時に施錠信号を出力するように、さらに、当該解錠信号を出力したときに、当該利用者記憶部に登録してある生体情報を消去するように構成してある。【選択図】図４
0003162728.tif 000002
【実用新案登録請求の範囲】
【請求項１】
生体情報を検出するための生体センサーと、
当該生体センサーから予め入力された生体情報を登録するための記憶部と、
当該記憶部に記憶された生体情報と当該生体センサーから再入力された再入力生体情報とを照合して一致又は不一致を判定し一致したときに解錠信号を出力する生体認証部と、を含めて構成してあり、
当該記憶部が、１人分のみの生体情報を登録可能に構成してあり、
当該生体認証部が、
当該生体センサーから入力された生体情報を当該記憶部に登録後又は登録と同時に施錠信号を出力するように、さらに、
当該解錠信号を出力したときに、当該利用者記憶部に登録してある生体情報を消去するように構成してある
ことを特徴とする生体認証装置。
【請求項２】
前記生体情報が、指紋であり、
当該生体認証部が、当該生体センサーが検出した指紋情報における特徴点の位置、種類及び向きを照合するマニューシャ方式によって指紋照合するように構成してある
ことを特徴とする請求項１記載の生体認証装置。
【請求項３】
前記生体認証部が、１回のみの指紋照合によって認証可否を決定するように構成してある
ことを特徴とする請求項２記載の生体認証装置。
【請求項４】
保管庫本体と、
当該保管庫本体に対して開閉する扉と、
当該保管庫本体に対する当該扉のロック及びロック解除を行うためのロック機
構と、を含めて構成してあり、
当該ロック機構が、請求項１乃至３何れか記載の生体認証装置の記憶部に生体情報が記憶されたときにロックを行うように、また、前記解錠信号が出力されたときにロック解除を行うように、構成してある
ことを特徴とする請求項１乃至３何れか記載の生体認証装置を備える生体認証保管庫。
【考案の詳細な説明】
【技術分野】
【０００１】
本発明は、たとえば、金庫、集合住宅用簡易ポスト、コインロッカー等の物品を保管する保管庫、さらに、パソコンやＵＳＢメモリー等のデータを電子的に保管する保管庫、に主として用いられる生体認証装置、及び、そのような生体認証装置を備える生体認証保管庫に関する。
【背景技術】
【０００２】
たとえば、金庫やコインロッカーのような物の保管庫、さらには、パソコンやＵＳＢメモリーのような電子データの保管庫の中には、利用者を制限するための生体認証装置が取り付けられたものがある（特許文献１参照）。特許文献１に記載された生体認証装置は、利用者の生体情報と記憶手段に記憶された記憶情報との照合結果に基づいて駆動手段を駆動させ扉のロックを解除するように構成されている。上述した生体認証装置は、利用者以外の第三者も、利用者と同様にロック又はロック解除できるように設定されるのが普通である。
【特許文献１】特開２００２−２７６２２２号公報（段落０００４以下、図１参照）
【考案の概要】
【考案が解決しようとする課題】
【０００３】
しかしながら、上述したように生体認証装置では、利用者が知らないうちに、金庫やコインロッカー等のロックが第三者によって解除されたり、パソコンの中身を第三者に覗かれたりする恐れがある。利用者にとって、このような状況は、収容物の盗難やデータの改ざん等される可能性がぬぐえず大変不安である。本考案が解決しようとする課題は、第三者のアクセスを排し原則として利用者だけがロック又はロック解除することができる生体認証装置及び生体認証保管庫を得ることを目的とする。
【課題を解決するための手段】
【０００４】
上記目的を達成するために本考案は、次の構成を備えている。なお、請求項１記載の考案の構成を説明するに当たって行う用語の定義等は、その性質上可能な範囲において請求項２以下の考案にも適用があるものとする。
【０００５】
（請求項１に記載の考案の特徴）
請求項１記載の発明に係る生体認証装置（以下、適宜「請求項１の認証装置」という）は、生体情報を検出するための生体センサーと、当該生体センサーから予め入力された生体情報を登録するための記憶部と、当該記憶部に登録された生体情報と当該生体センサーから再入力された再入力生体情報とを照合して一致又は不一致を判定し一致したときに解錠信号を出力する生体認証部と、を含めて構成してある。ここで、当該記憶部は、１人分のみの生体情報を登録可能に構成してあり、当該生体認証部は、当該生体センサーから入力された生体情報を当該記憶部に登録後又は登録と同時に施錠信号を出力するように、さらに、解錠信号を、利用者の再入力生体情報と一致した場合にのみ出力するとともに、生体情報の一致が利用者に係るものである場合にのみ当該記憶部に登録してある生体情報を消去するように構成してある。
【０００６】
ここで、「生体情報」とは、指紋、声紋、静脈パターン、顔、虹彩、角膜、ＤＮＡパターン等のうち、少なくとも一つについての情報のことをいう。たとえば、指紋と静脈パターンのように複数の情報を組み合わせた情報であってもよい。生体情報の種類に合わせて生体センサーの種類も適宜選択される。記憶部には一人分の生体情報しか記憶させることができない。つまり、二人目の生体情報を記憶させる余地はどこにもない。
【０００７】
請求項１の認証装置によれば、記憶部に登録された生体情報と生体センサーを介して入力された利用者の再入力生体情報とを照合してそれらの一致不一致を生体認証部が照合する。解錠信号を、再入力生体情報と一致した場合にのみ出力するとともに、生体情報が一致する場合にのみ記憶部に登録してある生体情報を消去するように構成し、不一致のときは解錠信号が出力されない。記憶部に登録可能な生体情報は利用者のそれのみであり第三者の生体情報は記憶されない。第三者の生体情報との一致はないので、第三者は解錠することができない。記憶部による生体情報の登録されたことを示す施錠信号は、たとえば、金庫やＵＳＢメモリー等のロックのトリガー信号として、また、解錠信号の出力は、同ロック解除のトリガー信号として、それぞれ利用することができる。
【０００８】
（請求項２に記載の考案の特徴）
請求項２記載の発明に係る生体認証装置（以下、適宜「請求項２の認証装置」という）には、請求項１の認証装置の基本構造を備えさせた上で、次のとおり構成することができる。すなわち、前記生体情報を、指紋とする。ここで、当該生体認証部が、当該生体センサーが検出した指紋情報における特徴点の位置、種類及び向きを照合するマニューシャ方式によって指紋照合するように構成してある。
【０００９】
請求項２の認証装置によれば、請求項１の認証装置の作用効果をマニューシャ方式で実現する。マニューシャ方式以外の方式を排除する趣旨ではないが、マニューシャ方式であれば、たとえば、指紋全体を照合するパターンマッチング方式に比べ本人受入率に差はないものの他人受入率において好ましい性能を一般に期待できることから、本発明にいて採用した。
【００１０】
（請求項３に記載の考案の特徴）
請求項３記載の発明に係る生体認証装置（以下、適宜「請求項３の認証装置」という）には、請求項２の認証装置の基本構造を備えさせた上で、前記生体認証部が、１回のみの指紋照合によって認証可否を決定するように構成することができる。
【００１１】
請求項３の認証装置によれば、請求項２の認証装置の作用効果に加え、指紋照合の操作を必要最小限のものとすることができる。すなわち、たとえば、パターンマ
ッチング方式と比べたマニューシャ方式は、一般に、本人受入率は１００％に近く劣るものではない一方、他人受入率が１００分の１前後と桁違いに低いから複数回の指紋照合を経なくても充分な他人排除効を得ることができるからである。なお、必要に応じて、複数回の指紋照合を排除する趣旨ではないことは言うまでもない。
【００１２】
（請求項４に記載の考案の特徴）
請求項４記載の発明に係る生体認証保管庫（以下、適宜「請求項４の保管庫」という）は、請求項１乃至３何れかの認証装置を備える保管庫である。請求項４の保管庫は、保管庫本体と、当該保管庫本体に対して開閉する扉と、当該保管庫本体に対する当該扉のロック及びロック解除を行うためのロック機構と、を含めて構成してある。ここで、当該ロック機構が、請求項１乃至３何れか記載の認証装置が施錠信号を出力したときにロックを行うように、また、前記解錠信号が出力されたときにロック解除を行うように、構成してある。上記保管庫として、たとえば、金庫、各種ロッカー、机の引き出し、倉庫、自動車のトランク、オートバイの荷台に取り付ける保管庫がある。
【００１３】
請求項４の保管庫によれば、保管庫本体に対する扉のロック又はロック解除を請求項１乃至３何れかの認証装置における登録作用及び認証作用に依存させることができる。ロック又はロック解除を直接行うのはロック機構であるが、このロック機構によるロックは同認証装置が施錠信号を出力したときであり、同じくロック解除は同認証装置から解錠信号が出力されたときである。請求項１乃至３何れかの認証装置の作用効果により、請求項４の保管庫の扉はロックを行うことができる。
【考案の効果】
【００１４】
本考案によれば、第三者のアクセスを排し、原則として利用者だけがロック及びロック解除することができる生体認証装置及び生体認証保管庫を提供することができる。これによって、利用者の収容物の盗難やデータの改ざん等の不安を解消することができる。
【図面の簡単な説明】
【００１５】
【図１】扉に指紋認証装置を備える保管庫の正面図である。
【図２】（ａ）は図１に示す開口部内部の拡大図であり、（ｂ）は（ａ）に示す開口部の矢印Ｂ方向に見た図である。
【図３】（ａ）は扉裏面側に備えられた指紋認証装置及びロック機構を示す図であり、（ｂ）は（ａ）に示すモジュールボックスのＣ−Ｃ断面図である。
【図４】図１に示す指紋認証装置のＡ−Ａ断面図と電気的構成とを示す図である。
【図５】マニューシャ方式を説明するための図である。
【図６】施錠手順を示すフローチャートである。
【図７】解錠手順を示すフローチャートである。
【考案を実施するための形態】
【００１６】
（指紋認証装置及びロック機構）
図１〜３を参照しながら、扉の裏面側に取付けているモジュールボックス３０について説明する。上段扉５５及び下段扉５５´はモジュールボックスベース３１に含まれる載せ板６０（載せ板６０´）が異なる。そのため、以下の説明では両者間で異なる上記部位についてだけ説明し、共通する部位についての説明は省略する。なお、共通する部位について、両者の符号は統一して記載してある。図１に示す符号５１は、本実施形態に係る指紋認証装置を備えた保管庫を示す。保管庫５１は、保管庫本体５３と保管庫本体５３に対して開閉自在に取り付けられた複数（本実施形態では６個）の上段扉５５と下段扉５５´とから構成してある。扉５５（扉５５´）各々には、厚み方向に貫通する開口部５６がある（図３（ｂ）参照）。この開口部５６周縁には、一方開放（縦断面略コの字状）のモジュールボックス３０を板状のモジュールボックスベース３１を介して扉５５（扉５５´）の裏面側に取り付けてある。これにより、表側から裏側へ（図３（ｂ）右側から左側へ）凹む凹部５８が形成される。モジュールボックスベース３１の上には上述したモジュールボックス３０以外にロック機構ベース１１（後述）を取り付けてある（図３（ａ）参照）。モジュールボックス３０は、図３（ｂ）に示すように、その上面に天板５９を、その下面に載せ板６０（載せ板６０´）を、それぞれ備えている。載せ板６０の開放端６０ｅは開口部５６を囲む下方周端５７ｂとほぼ一致させ、天板５９の開放端５９ｅは開口部５６を囲む上方周端５７ａよりも上方向に１ｃｍ程度上に位置させてある。天板５９には取付用開口部２２ｈを設けてあり、そこに差し込むように強制解錠用錠２２を取り付けてある（図２（ｂ）参照）。天板５９の開放端５９ｅを上に位置させたのは、強制解錠用錠２２を扉５５（扉５５´）の正面から見えないようにするためである。ここで、図３（ｂ）について説明する。図３（ｂ）では、強制解錠用錠２２、センサー基板６１及び動作基板８を二点鎖線で示した。天板５９の開口部２２ｈには二点鎖線で示す強制用解錠用錠２２を設け、載せ板６０の上には二点鎖線で示すセンサー基板６１、載せ板６０の下にはセンサー基板６１及び動作基板８を固定してある。
【００１７】
図３（ｂ）に示すように上段扉５５の載せ板６０には、正面から見て上り勾配（水平に対して、たとえば３０度）がつけられている。それに対して、下段扉５５´の載せ板６０´は水平になっている。載せ板６０（載せ板６０´）には開口部６０ｈを形成してある（図３（ｂ）参照）。この開口部６０ｈを塞ぐようにそれぞれセンサー基板６１（センサー基板は上下段扉とも同じもの）を取り付けてある。したがって、取り付けられたセンサー基板６１は、載せ板６０（載せ板６０´）と同じ角度で水平に対して傾斜することになる。載せ板６０を正面から見て上り勾配にし、載せ板６０´を水平にしたのは、使用時に利用者がセンサー基板６１の上面を見やすく、かつ、指紋認証の際に利用者の手首の負担を軽減するためである。
【００１８】
センサー基板６１は、その上面に操作系統の部品を、その下面には電気系統の部品をとりつけてある。すなわち、センサー基板６１の上面には指紋認証装置１の一部、すなわち、指ガイド２、指紋センサー３、スイッチ７ｓおよびランプ６ａ、６ｂが設けてある（図２（ａ）及び４参照）。センサー基板６１の下面には指紋認証装置１の一部である記憶部５、指紋認証部７（画像プロセッサ７ａ、認識ユニット７ｂ）及び動作基板（電源入力、ソレノイド端子、リミットＳＷ端子等）（図示省略）が設けられている（図３（ａ）及び４参照）。センサー基板６１の上面に設けられた指ガイド２、指紋センサー３、スイッチ７ｓおよびランプ６ａ、６ｂをセンサー部６１ａ、下面に設けられた記憶部５、指紋認証部７を画像処理部６１ｂとする（図４参照）。
【００１９】
図１〜３（ａ）を参照しながら、ロック機構について説明する。扉５５（扉５５´）の向かって左側には、扉５５（扉５５´）の開閉を行うためのラッチ式の取っ手２０を取り付けてある。取っ手２０はロック機構１０の一部を構成する。ロック機構１０は、保管庫本体５３に対して扉５５（扉５５´）をロックするための機構であり、扉５５（扉５５´）の表面側にある取っ手２０と、裏面側にあるロック機構ベース１１と、ラッチ式取っ手のフック２０ｂ及びロット２０ｃから概ね構成してある。ロック機構ベース１１には、ソレノイド１２と、ソレノイド１２に対して進出後退するプランジャー１３と、リミットスイッチ１４と、プランジャー１３と連結しているストッパー１５を装着してある。フック２０ｂ及びロット２０ｃは、フック２０ｂ及びロット２０ｃの収容部２０ａにそれぞれ収容され、フック２０ｂ及びロット２０ｃは連動しており、フック２０ｂが収容部２０ａに引き込まれるとロット２０ｃは収容部２０ａから飛び出すようにしてある。ストッパー１５は、ロック機構ベース１１に回転軸１７により装着されており、ストッパー１５及び回転軸１７はロック機構ベース１１に対して一体回転する。ストッパー１５は扇形のストッパー本体１５ａと、ストッパー本体１５ａの下端から下に突き出る受け片１５ｂからなる。また、ストッパー１５の上面とストッパー１５の直上（図３（ａ）紙面手前）に設けられているストッパーガイド１６ａが、ストッパー１５の下面とストッパー１５の直下に設けられた他のストッパーガイド１６ｂが、それぞれ摺動接触するようになっている。ストッパー１５の厚み方向移動を規制することにより、その動きをスムーズにするとともにストッパーとしての機能を確実に発揮させるためである。すなわち、確実な機能の発揮によって、扉５５（扉５５´）のロック時のストッパー１５は、ロット２０ｃとずれることなく当接するように位置し、ロット２０ｃはストッパー１５方向への飛び出しを確実に抑えられる（後述）。また、強制解錠時、ストッパー１５と解錠レバー２１及びリミットスイッチ１４との接触を円滑に行うことができる（後述）。図３（ａ）において、向かって回転軸１７の右側に、ロック機構ベース１１より紙面手前方向に起立するリミッター１８を設けてある。リミッター１８の下端はストッパー１５の上端が当接するように配置してあり、この当接により、ストッパー１５がリミッター１８の位置を超えて反時計方向に回転しないように止められる。ストッパー１５はプランジャー１３と連結しており、プランジャー１３の進出後退の動きに合わせて時計又は反時計周りに回転する。リミッター１８との当接作用により、プランジャー１３が進出する距離が決まり、進出しすぎるのを抑えられる。進出しすぎるとロック解除時、プランジャー１３がソレノイド１２に後退できなくなる怖れがあるので、これを防ぐためである。なお、ソレノイド１２の制御は、指紋認証装置１によって行われるようになっている。具体的な制御方法については、指紋認証装置１の処理手順の中で説明する。
【００２０】
（指紋認証装置の概略構造）
図２（ａ）及び４を参照しながら、指紋認証装置１の概略構造について説明する。指紋認証装置１は、指紋センサー（生体センサー）３と、記憶部５と、指紋認証部（生体認証部）７と、から概ね構成してある。指紋センサー３は静電容量式のセンサーを使用しており、利用者の指１０１をセンサー表面に押し当てた時、皮膚表面１０３（図５参照）の凹凸部とセンサー表面との間に発生する静電容量を測定するセンサーである。符号２は、指紋センサー３を保持するとともに、指１０１が指紋センサー３に対する適正位置に来るようにガイドするための指ガイドを示している。指紋センサー３によって検出された指紋パターンが、指紋情報（生体情報）となる。記憶部５は、ＲＡＭによって構成してあり、指紋情報をその利用者と関連付けて登録するための記憶部５として使用できるように構成してある。指紋認証部７は、画像プロセッサ７ａとパターン認識ユニット７ｂとにより構成してある。画像プロセッサ７ａは、指紋センサー３から入力された指紋情報を画像処理するためのものである。パターン認識ユニット７ｂは、画像プロセッサ７ａによって生成された指紋パターンの特徴（後述）を抽出し、抽出された特徴を所定の登録情報（後述）と比較することによって、その一致不一致を判定し一致した場合にその一致を示す解錠信号を出力するように構成してある。なお、指紋認証装置１を稼動させるための電源は、電池でもよいし商用電源でもよい。
【００２１】
また、指紋認証部７は、指紋センサー３から入力された指紋情報を記憶部５に登録させる機能を有している。スイッチ７ｓは、電源スイッチとしての機能を備えている。すなわち、スイッチ７ｓを押すと電源がオンとなりスタートする。さらに、指紋認証部７には、図２（ａ）及び４に示すように、指紋情報の登録の有無を視覚的に確認できるようにするためのランプ６ａ及びランプ６ｂを接続しておくことが好ましい。この場合において、ランプ６ａは指紋情報の登録がない場合にのみ点灯するように、また、ランプ６ｂは同じく登録がある場合にのみ点灯するように、それぞれ構成してある。
【００２２】
（指紋の認証方式）
図５を参照しながら、指紋の認証方式について説明する。本実施形態では、指紋センサー３が検出した指紋情報における特徴点の位置、種類及び向きを照合するマニューシャ方式を採用した。パターンマッチ方式等に比べて本人受入率において差異なく他人受入率において格段に低い（識別力が高い）からである。マニューシャ方式では、図５に示すような指紋パターン１０５（皮膚表面１０３）が有する端点（指紋の終点）１０５ａ、分岐点（指紋が分岐する点）１０５ｂ及び三角州（指紋が三方に伸びる点）１０５ｃを特徴点として捉え、これらの特徴点の位置、種類及び向きを照合して両指紋情報の一致不一致を判定する方式である。マニューシャ方式によれば、１回の照合において本人受入率がほぼ９９．９６％、同じく他人受入率がほぼ０．０００１％であると一般にいわれている。非常に高精度であるといえよう。
【００２３】
（指紋認証装置の処理手順）
図１〜６を参照しながら、保管庫５１に取り付けた指紋認証装置１の処理手順について説明する。処理を行うプログラムは、指紋認証部７に格納されていて、その指紋認証部７が実行することにより以下に述べる処理が行われるようになっている。
【００２４】
図６に示すフローチャートを参照しながら、指紋認証部７の処理手順について説明する。スイッチ７ｓ（図１及び２（ａ）参照）が押されると指紋認証装置１の電源をオンして（Ｓ２１）、ランプ６ａを点灯させる（Ｓ２３）。ランプ６ａの点灯が保管庫５１の空きを示す。したがって、扉５５（扉５５´）を開けて保管庫本体５３の前面開口を開放し、保管物（図示を省略）を中に入れ扉５５（扉５５´）を閉鎖することができる。Ｓ２７では、指紋センサー３からの指紋情報の入力を待ち、入力があったら入力された指紋情報を記憶部５に登録する（Ｓ２９）。登録したところで使用中を示すランプ６ｂを点灯させるとともに、点灯しているランプ６ａを消灯させる（Ｓ３１，Ｓ３３）。さらに、指紋情報の登録が完了した旨を示す施錠信号ｓ１を出力する(Ｓ３５)。施錠信号ｓ１の出力により記憶部５の登録エリアは満杯になり、それ以上の登録ができない状態になる。上述したＳ２９〜Ｓ３５は、同時に行ってもよいし図６に示す順番と異なる順番で実行させてもよい。施錠信号ｓ１は、ソレノイド１２を励起して（図３（ａ）参照）、プランジャー１３を進出させ、進出したプランジャー１３は受け片１５ｂを押し出すと共にストッパー１５を反時計方向へ押し上げる。そして、保管庫本体５３のフック受け口（図示を省略）に挿入されているフック２０ｂの移動を阻止して挿入状態を保持する。保持によりロット２０ｃはストッパー１５方向への飛び出しが抑えられ、扉５５（扉５５´）がロックされた状態になる。施錠信号ｓ１を出力した指紋認証部７は、所定時間（本実施形態では２０秒間）の経過を待って電源を自動的オフにする（Ｓ３７、Ｓ３９）。電源オフにより、点灯していたランプ６ｂが自動消灯する。
【００２５】
（保管庫の解錠手順）
図７を参照しながら、保管庫５１の解錠手順について説明する。まず、スイッチ７ｓが押されて電源がオンとなったところで（Ｓ５１）、指紋認証装置１は、ランプ６ｂを点灯させる(Ｓ５３)。ランプ６ｂの点灯は、保管庫５１が使用中であることを示す。ここで指紋認証部７は指紋センサー３からの指紋情報の入力を待ち（Ｓ５５）、入力されたところでその入力された指紋情報と記憶部５に登録されている指紋情報と照合を行う（Ｓ５７）。
【００２６】
Ｓ５９において入力された指紋が登録されている指紋と同一である場合において、指紋認証部７は、点灯していたランプ６ｂを消灯させるとともにランプ６ａを点灯させる（Ｓ６３、Ｓ６５）。ここで指紋認証部７は、解錠信号ｓ２を出力するとともに記憶部５ｂに登録されている指紋情報を削除する（Ｓ６７、Ｓ６９）。解錠信号ｓ２はソレノイド１２（図３（ａ）参照）を励起してプランジャー１３を後退させ、プランジャー１３の後退によりストッパー１５を時計回りに回転させる。この回転がロット２０ｃを開放し、扉５５（扉５５´）が解錠された状態にする。これにより、扉５５（扉５５´）を解放し保管物を中から取り出すことができる。指紋情報を削除した指紋認証部７は、その２０秒間後に電源をオフにする（Ｓ７３、Ｓ７５）。電源オフにより、ランプ６ａも消灯する。Ｓ６９の指紋情報削除により、保管庫５１の「空き」状態が確定する。
【００２７】
Ｓ５９の説明に戻る。Ｓ５９において指紋照合の結果一致しなかった場合の指紋認証部７は、その旨を知らせるためにランプ６ｂを１回点滅させ(Ｓ８１)、Ｓ５３へ戻り通常の点灯を行わせる。
【００２８】
（強制解錠時のロック機構の作用）
図１〜３を参照しながら、強制解錠時のロック機構の作用について説明する。図２（ｂ）に示す強制解錠用錠２２に保管庫設置者が管理する鍵を差し込み、解錠する。強制解錠用錠２２は、外から見えにくいように天板５９に備えられているので、保管庫設置者は凹部５８の中に手を入れ上向きに鍵を差し込むことになる。強制解錠用錠２２へ差し込んだ鍵を回転させると、解錠レバー２１は図３（ａ）紙面の上方向から見て時計回りに回転し、受け片１５ｂを押し下げると共にストッパー１５を時計周りに回転させる。さらに、プランジャー１３と連結しているストッパー１５はリミットスイッチ１４のボタンを押し、強制的にプランジャー１３を押し込み、機械的及び電気的に解錠状態にする。
【００２９】
（強制解錠後の処理手順）
図１〜３を参照しながら、強制解錠後の処理手順について説明する。通電時において、ランプ６ｂが点灯中に、強制解錠後、プランジャー１３は後退し、ストッパー１５は押し下げられた状態である。この状態で、スイッチ７ｓ（図１及び図２（ａ）参照）を押すと指紋認証装置１の電源をオンにし、ランプ６ａを点灯し、保管庫５１の空きを示す。非通電時において、強制解錠後、プランジャー１３は後退し、ストッパー１５は押し下げられた状態である。この状態で、スイッチ７ｓ（図１及び図２（ａ）参照）を押すと指紋認証装置１の電源をオンにし、ランプ６ａを点灯し、保管庫５１の空きを示す。これにより、扉５５（扉５５´）を開けて保管庫本体５３の前面開口を開放し、保管物（図示を省略）を中に入れ扉５５（扉５５´）を閉鎖することができる。
【００３０】
（保管庫設置者の鍵保有）
本案件は、第三者のアクセスを排し、原則として利用者だけがロック及びロック解除することができる生体認証装置及び生体認証保管庫を提供することを目的としているが、保管期間の問題（長期間保管して、利用者が保管物を取りに来ない等）により、利用者の指紋情報でしか扉５５（扉５５´）を解錠することができないという問題が起こる。そのため、解錠を利用者の指紋情報だけでなく、鍵による強制解錠もできるようにした。しかしながら、強制解錠は、保管庫設置者の指紋情報で行うのではなく、物理的に管理できる方法、つまり、鍵を用いた解錠方法にした。鍵等を用いることで、複数人数の保管庫設置者で物理的に管理することができ、鍵の不正使用も防ぐことができるからである。
【符号の説明】
【００３１】
１          指紋認証装置
２          指ガイド
３          指紋センサー
５          記憶部
６ａ，６ｂ  ランプ
７          指紋認証部
７ａ        画像プロセッサ
７ｂ        認識ユニット
７ｓ        スイッチ
８          動作基板
１０          ロック機構
１１          ロック機構ベース
１２          ソレノイド
１３          プランジャー
１４          リミットスイッチ
１５          ストッパー
１５ａ        扇形のストッパー本体
１５ｂ        受け片
１６ａ        ストッパーガイド
１６ｂ        ストッパーガイド
１７          固定軸
１８          リミッター
２０          ラッチ式取っ手
２０ａ        フック及びロット収容部
２０ｂ        ラッチ式取っ手のフック
２０ｃ        ラッチ式取っ手のロット
２１          解錠レバー
２２          強制解錠用錠
２２ｈ        強制解錠用錠取付用開口部
３０          モジュールボックス
３１          モジュールボックスベース
５１          保管庫
５３          保管庫本体
５５          扉
５６          開口部
５７ａ        開口部を囲む上方周端
５７ｂ        開口部を囲む下方周端
５８          凹部
５９          天板
５９ｅ        天板開放端
６０          載せ板
６０ｅ        載せ板開放端
６０ｈ        開放部
６１          センサー基板
６１ａ        センサー部
６１ｂ        画像処理部
１０１          指
１０３          皮膚表面
１０５          指紋パターン
１０５ａ        端点
１０５ｂ        分岐点
１０５ｃ        三角州
【図１】
0003162728.tif 000003
【図２】
0003162728.tif 000004
【図３】
0003162728.tif 000005
【図４】
0003162728.tif 000006
【図５】
0003162728.tif 000007
【図６】
0003162728.tif 000008
【図７】
0003162728.tif 000009